(57)【要約】【課題】排水桝の内部の衛生状態を良好に維持することができ、さらに、構造体自体の交換や設置が、簡易に行え、利用コストも抑えることができる汎用性に富んだ抗菌及び抗カビ用構造体を提供すること。【解決手段】浴室の洗い場面に凹み状に設けられた上面が蓋又は目皿により覆設可能な排水桝の内部に挿置されることで、排水桝内の抗菌及び抗カビを担う抗菌及び抗カビ用構造体１０を排水桝の内部底面に当接させる当接部１４と、当接部１４と所定の間隔をもって相対する板状部１２と、当接部１４及び板状部１２の間でこれらを相互に支持固定する柱状部１６とを備え、その表面の全部又は一部に抗菌材及び抗カビ材が塗膜又はメッキされていることで、排水桝内の抗菌及び抗カビを担う構成とした。【選択図】図１
2014005603.tif 000002
【特許請求の範囲】
【請求項１】
浴室の洗い場面に凹み状に設けられた上面が蓋又は目皿により覆設可能な排水桝の内部に挿置されることで、前記排水桝内の抗菌及び抗カビを担う抗菌及び抗カビ用構造体であって、
前記抗菌及び抗カビ用構造体は、前記排水桝の内部底面に当接させる当接部と、前記当接部と所定の間隔をもって相対する板状部と、前記当接部及び板状部の間でこれらを相互に支持固定する柱状部とを備え、
前記抗菌及び抗カビ用構造体は、その表面の全部又は一部に抗菌材及び抗カビ材が塗膜又はメッキされていることで、前記排水桝内の抗菌及び抗カビを担うこと
を特徴とする抗菌及び抗カビ用構造体。
【請求項２】
前記当接部は、枠状に形成されている枠状体であることを特徴とする請求項１記載の抗菌及び抗カビ用構造体。
【請求項３】
前記枠状体は、リング状であることを特徴とする請求項２記載の抗菌及び抗カビ用構造体。
【請求項４】
前記枠状体は、外枠側から内枠側に向かうにつれて上方に傾斜する形状となっていることを特徴とする請求項２又は３記載の抗菌及び抗カビ用構造体。
【請求項５】
前記当接部には、その底面側にヘアキャッチャーが取り付けられており、当該ヘアキャッチャーを前記排水桝の内部底部に形成された排水口に嵌合することにより、前記抗菌及び抗カビ用構造体が前記排水桝の内部に挿置されることを特徴とする請求項１〜４何れか１項記載の抗菌及び抗カビ用構造体。
【請求項６】
前記板状部と、前記蓋又は目皿が連結材により相互に連結されることで、前記抗菌及び抗カビ用構造体が前記排水桝の内部に挿置されることを特徴とする請求項１〜４何れか１項記載の抗菌及び抗カビ用構造体。
【請求項７】
前記所定の間隔は、前記板状部の表面上において、表面張力により前記蓋又は目皿方向に膨らんだ前記排水の一部が前記蓋又は目皿の裏面に接触可能となる位置となる間隔であることを特徴とする請求項１〜６何れか１項記載の抗菌及び抗カビ用構造体。
【発明の詳細な説明】
【技術分野】
【０００１】
本発明は、浴室の洗い場において、排水トラップを隠すために設ける排水桝内などの衛生状態を良好に維持するために用いるものであって、詳しくは、表面に塗布又はメッキされる抗菌材及び抗カビ材の抗菌や抗カビ等の効果を利用して排水桝内などの抗菌及び抗カビを担うことで、排水桝内などの衛生状態を良好に維持できるとともに、交換や設置が簡易に行える抗菌及び抗カビ用構造体に関するものである。
【背景技術】
【０００２】
従来から、浴室の洗い場において、排水トラップを隠すために、排水桝を設けて、その底部に排水トラップを設置するといったことが行われている。そのため、排水桝は、通気性が悪い状況と絶えず湿気を帯びている状況が重なり、非常に菌やカビが繁殖しやすく、それによる汚れや、ヌメリが発生してしまうという問題が生じている。特に、排水桝の底面や排水桝を覆う蓋の裏面に菌やカビによる汚れが発生しやすいとされている。
【０００３】
上記のような問題を解決するために、従来技術においては、例えば、浴槽の残り湯を利用して、排水桝の底部に設けた排水トラップ内に渦流を発生させ、毛髪の絡まりや、ヌメリなどの汚れを低減させ、排水桝の衛生状態を良好に維持するといった浴室の排水構造が知られている。
【０００４】
また、特許文献１には、洗い場パンの浴槽側に凹状に形成された排水枡は、中央部に流入口を備えた底面の外周から上方へ立ち上がる立面を有して、上面には目皿が覆設されるとともに、該排水枡の流入口の下部には、内部に防臭筒を有する排水トラップが垂下状に設けられて構成され、前記洗い場パンには、浴槽の側面を覆蓋するエプロンが立設され、該エプロンの高さだけ浴槽の上面は洗い場パンより高い位置とされて、浴槽内の浴槽水の水位が洗い場パンより高い位置となるように設定されてなり、前記浴槽の底面に形成された排水口から浴槽水を排水するための浴槽主排水経路が前記排水トラップに連通接続され、該浴槽主排水経路から分岐された浴槽排水管の端が、前記排水枡の立面に対し裏側から直交状に貫通接続されて、該浴槽排水管の立面の内側に吐水口が開口されていることを特徴とする浴室の排水構造が開示されている。
【０００５】
この技術によると、浴槽から排水される浴槽排水の一部を良好に排水枡内に吐出させて、排水枡の立面から、排水枡内に勢いよく浴槽排水を流し込むことができ、浴槽から排水される浴槽排水の流体エネルギーで、排水枡の立面，底面等にへばり付いている髪の毛等を良好に流し去ることができるとされている。
【０００６】
そして、特許文献２には、浴室の洗い場面に凹み状に設けられた排水枡内にはヘアキャッチャーが設置され、該排水枡の上面に覆蓋状に設置される目皿の下面には、該目皿内部に設けられた薬剤収納部と連繋されたスプレーノズルが備えられていることを特徴とする浴室排水目皿が開示されており、目皿に設けられたスプレーノズルから芳香，消臭，抗菌剤等を排水枡内およびヘアキャッチャーに噴射させることができ、目皿を外さなくても良好に消臭剤等を噴射させて、排水枡内およびヘアキャッチャーの雑菌繁殖や臭いを良好に防ぐことができるものとなる。また、薬剤収納部が目皿内部に設けられているため、薬剤収納部が目皿と一体化して意匠性が高められ、また掃除等も良好に行うことができるとされている。
【０００７】
さらに、特許文献３には、防水パンと、この防水パンの一部に設けられた排水枡とを備え、上記排水枡が、底面と、この底面の周囲に立設された周壁とを有し、上記底面及び周壁が、銅又は銅合金の板により覆われた浴室ユニットが開示されており、銅イオンの滅菌作用により汚染物質の堆積を減少できるとされている。
【０００８】
その他、例えば、特許文献４には、浴槽と、該浴槽に隣接する洗い場床と、上記浴槽側から上記洗い場床を隔てて上記浴槽に対向する壁面へ横設された浴室カウンタと、上記浴室カウンタ内に取設され、殺菌水を生成する殺菌水生成装置と、上記浴室カウンタ下面に、垂直な回転軸を中心に回転可能に形成され、上記殺菌水生成装置により生成された殺菌水を上記洗い場床上に吐水する吐水部とを備えることを特徴とする浴室殺菌システムが開示されており、洗い場床や壁の低い部分、バスエプロン等細菌や黴が繁殖しやすい部位に集中して殺菌水を散布するといったことも行われている。
【先行技術文献】
【特許文献】
【０００９】
【特許文献１】特許第４５４１２４９号公報
【特許文献２】特許第４６１１１４６号公報
【特許文献３】特開２００８−５７２２７公報
【特許文献４】特開２００９−１１９０１７公報
【発明の概要】
【発明が解決しようとする課題】
【００１０】
しかしながら、従来技術では、基本的に、浴槽側からの排水利用であるため、効果は使用状況によってしまい、絶対的なものではないといった指摘がされていた。また、既存の浴室では、排水構造の交換工事が大がかりなもの（浴室自体の交換）となってしまい、改善の余地があった。また、特許文献１記載の技術は、やはり、浴槽側からの排水を利用するものであり、その効果は使用状況によってしまい、そして、構造自体も複雑なものとなってしまうため、簡易に適用することが難しいとされている。
【００１１】
またさらに、特許文献２記載の技術は、スプレーノズルから噴射させる薬剤を頻繁に薬剤収納部へと補給しなくてはならず、衛生状態をある程度良好に維持するためには、高い維持コストがかかってしまうという問題が指摘されている。そして、特許文献３記載の技術は、排水桝の底面や側面を覆う銅又は銅合金により、排水桝の内部を滅菌することができるが、その効果が薄れてきた際の銅又は銅合金の交換作業が、極めて煩雑なものとなってしまっている。また、特許文献４記載の技術は、殺菌水を散布する作業におけるランニングコストが高くなってしまうと言われている。
【００１２】
本発明は、上述の課題を解決するためのもので、排水桝の内部の衛生状態を良好に維持することができ、さらに、構造体自体の交換や設置が、簡易に行え、利用コストも抑えることができる汎用性に富んだ抗菌及び抗カビ用構造体を提供することにある。
【課題を解決するための手段】
【００１３】
上記目的を達成するため、本発明は、以下の技術的手段を講じている。
即ち、請求項１記載の発明は、浴室の洗い場面に凹み状に設けられた上面が蓋又は目皿により覆設可能な排水桝の内部に挿置されることで、前記排水桝内の抗菌及び抗カビを担う抗菌及び抗カビ用構造体であって、前記抗菌及び抗カビ用構造体は、前記排水桝の内部底面に当接させる当接部と、前記当接部と所定の間隔をもって相対する板状部と、前記当接部及び板状部の間でこれらを相互に支持固定する柱状部とを備え、前記抗菌及び抗カビ用構造体は、その表面の全部又は一部に抗菌材及び抗カビ材が塗膜又はメッキされていることで、前記排水桝内の抗菌及び抗カビを担うことを特徴とする抗菌及び抗カビ用構造体である。
【００１４】
また、請求項２記載の発明は、請求項１記載の抗菌及び抗カビ用構造体であって、前記当接部は、枠状に形成されている枠状体であることを特徴としている。そして、請求項３記載の発明は、請求項２記載の抗菌及び抗カビ用構造体であって、前記枠状体は、リング状であることを特徴としている。
【００１５】
さらに、請求項４記載の発明は、請求項２又は３記載の抗菌及び抗カビ用構造体であって、前記枠状体は、外枠側から内枠側に向かうにつれて上方に傾斜する形状となっていることを特徴としている。またさらに、請求項５記載の発明は、請求項１〜４何れか１項記載の抗菌及び抗カビ用構造体であって、前記当接部には、その底面側にヘアキャッチャーが取り付けられており、当該ヘアキャッチャーを前記排水桝の内部底部に形成された排水口に嵌合することにより、前記抗菌及び抗カビ用構造体が前記排水桝の内部に挿置されることを特徴としている。
【００１６】
そして、請求項６記載の発明は、請求項１〜４何れか１項記載の抗菌及び抗カビ用構造体であって、前記蓋又は目皿が連結材により相互に連結されることで、前記抗菌及び抗カビ用構造体が前記排水桝の内部に挿置されることを特徴としている。
【００１７】
また、請求項７記載の発明は、請求項１〜６何れか１項記載の抗菌及び抗カビ用構造体であって、前記所定の間隔は、前記板状部の表面上において、表面張力により前記目皿方向に膨らんだ前記排水の一部が前記目皿の裏面に接触可能となる位置となる間隔であることを特徴としている。
【発明の効果】
【００１８】
本発明の抗菌及び抗カビ用構造体によると、その表面の全部又は一部に抗菌材及び抗カビ材が塗布又はメッキされているため、排水桝の内部に挿置されると、その内部の抗菌及び抗カビを担うことができ、衛生状態を良好に維持することができる。さらに、排水桝内部への挿置という簡易な作業により構造体自体の設置や交換が行えるため、大がかりな作業を必要とせず、利用コストを抑えることができる。
【図面の簡単な説明】
【００１９】
【図１】本発明に係る抗菌及び抗カビ用構造体の第１の実施形態を示した図で、（ａ）は正面図、（ｂ）は平面図、（ｃ）は斜視図である。
【図２】本発明に係る抗菌及び抗カビ用構造体の第１の実施形態を排水枠内に設置した状態を示した縦断面図である。
【図３】本発明に係る抗菌及び抗カビ用構造体の第２の実施形態を示した図で、（ａ）は正面図、（ｂ）は平面図、（ｃ）は斜視図である。
【図４】本発明に係る抗菌及び抗カビ用構造体の第３の実施形態を排水枠内に設置した状態を示した縦断面図である。
【図５】本発明に係る抗菌及び抗カビ用構造体の第４の実施形態を排水枠内に設置した状態を示した縦断面図である。
【発明を実施するための形態】
【００２０】
以下、本発明の実施形態について、図面を参照して説明する。
図１は、本発明に係る抗菌及び抗カビ用構造体の第１の実施形態を示した図で、（ａ）は正面図、（ｂ）は平面図、（ｃ）は斜視図である。また、図２は、本発明に係る抗菌及び抗カビ用構造体の第１の実施形態を排水桝内に設置した状態を示す概略側面図である。そして、１０は抗菌及び抗カビ用構造体、１２は板状部、１４は当接部、１６は柱状部、１８は排水桝、２０は蓋、２２は蓋裏面、２４は板状部表面、２６は排水トラップ、２８は排水管接続部、３０は防臭筒、３２は排水管、３４は浴槽排水管接続部、３６は浴槽排水管、３８はゴミ等捕集部材を表している。
【００２１】
本実施形態における抗菌及び抗カビ用構造体１０は、図１に示すように、浴槽の洗い場面に凹み状に設けられる排水桝１８の内部に挿置するための底面に当接させる当接部１４と、当接部１４と所定の間隔をもって相対する板状部１２と、さらに、当接部１４と板状部１２の間でこれらを相互に支持固定する柱状部１６とを備えている。本実施形態においては、柱状部１６は、当接部１４の表面、板状部１２の裏面をそれぞれ支持固定する構成となっているが、当接部１４と板状部１２が所定の間隔をもって相対するようにそれぞれを支持固定できるように構成されていれば良い。また、板状部１２、当接部１４及び柱状部１６を一体成型することで抗菌及び抗カビ用構造体１０を作製しても良い。
【００２２】
そして、抗菌及び抗カビ用構造体１０の表面には、抗菌材及び抗カビ材が塗布されている。本実施形態における抗菌材及び抗カビ材は、金属イオン発生材が用いられており、この金属イオン発生材から排水桝内に流入してくる排水へ抗菌や抗カビ効果のある金属イオンが溶出されることにより、排水桝内部の抗菌や抗カビが担われ、つまり、衛生状態が良好に維持される仕組みとなっている。なお、本実施形態における金属イオン発生材は、銀イオン、銅イオン、亜鉛イオン、ニッケルイオンといった金属系イオンを塗布してなるものである。
【００２３】
またさらに、本実施形態においては、板状部１２は、円形に形成されており、当接部１４は、リング状に形成されている。当接部１４がリング状に形成されているのは、浴槽の洗い場面から排水桝１８に流入する排水が、排水トラップ内へと流出されるようにするためであるが、これは、枠状となっていれば良いため、例えば、四角形を呈する枠状のものを利用しても構わない。
【００２４】
また、柱状部１６は、図中、短手方向の幅が狭くなっているが、これも浴槽の洗い場面から排水桝１８に流入する排水を排水トラップ内へと流出させるためであるが、排水の効率性が阻害されない程度であれば、ある程度の幅をもたせることにより、抗菌及び抗カビ用構造体１０の安定性を図ることもできるし、また、金属イオン発生材が塗布されている面が広くなるため、それだけ排水桝内の抗菌や抗カビ効果の向上が望めることになる。
【００２５】
続いて、図２を参照しながら、本実施形態における抗菌及び抗カビ用構造体１０の排水桝１８内への挿置状態について説明する。排水桝１８は、浴槽の洗い場面に凹状に設けられるもので、浴槽の洗い場面から流入してくる排水を排水トラップ２６に流し、さらに、排水管３２へと排水できるようになっている。
【００２６】
排水トラップ２６は、一般的なものが用いられるが、本実施形態においては、図に示すように、排水管３２に接続するための排水管接続部２８と、防臭筒３０と、浴槽からの排水を排水トラップ２６に流入させる浴槽排水管３６、そして、浴槽排水管３６を接続するための浴槽排水管接続部３４を含む構成となっている。
【００２７】
また、排水桝１８内部の底面には、例えば、浴槽の洗い場面からの排水に含まれる髪の毛等をキャッチするゴミ等捕集部材３８が設置されており、髪の毛等が、できるだけ直接排水トラップ２６や排水管３２へと排水されないようにしている。さらに、排水桝１８は、蓋２０によって、開閉自在に覆われることができるようになっており、大きなゴミ等が排水桝１８内に落ち込まないようになっている。
【００２８】
続いて、抗菌及び抗カビ用構造体１０は、排水桝１８内部の底面に当接部１４を当接させることにより挿置される。このように、簡易な作業により抗菌及び抗カビ用構造体１０を排水桝１８内部に挿置することができるため、交換や設置作業の負担が軽減する。また、上記の通り、当接部１４は、リング状に形成されているため、排水桝１８内へと流入してくる排水を排水トラップ２６へと流出させることができるようになっている。
【００２９】
そして、抗菌及び抗カビ用構造体１０は、図に示すように、柱状部１６が、板状部１２と、それに相対する当接部１４とをそれぞれ相互に支持固定する構成となっており、板状部１２が、その表面上（板状部表面２４）において、表面張力により蓋２０の方向に膨らんだ排水の一部が蓋２０の裏面（蓋裏面２２）に接触可能となる位置となっている。このような構成とすることで、蓋２０の裏面における抗菌や抗カビも担うことができるというわけである。
【００３０】
次に、本発明に係る抗菌及び抗カビ用構造体の第２の実施形態について、図面を参照しながら説明する。図３は、本発明に係る抗菌及び抗カビ用構造体の第２の実施形態を示した図で、（ａ）は正面図、（ｂ）は平面図、（ｃ）は斜視図で、符号は、図１と同様である。
【００３１】
本実施形態における抗菌及び抗カビ用構造体１０は、図３に示すように、浴槽の洗い場面に凹み状に設けられる排水桝１８の内部に挿置するための底面に当接させる当接部１４と、当接部１４と所定の間隔をもって相対する板状部１２と、さらに、当接部１４と板状部１２の間でこれらを相互に支持固定する柱状部１６とを備えている。本実施形態においては、柱状部１６は、当接部１４の表面、板状部１２の裏面をそれぞれ支持固定する構成となっているが、当接部１４と板状部１２が所定の間隔をもって相対するようにそれぞれを支持固定できるように構成されていれば良い。また、板状部１２、当接部１４及び柱状部１６を一体成型することで抗菌及び抗カビ用構造体１０を作製しても良い。
【００３２】
そして、抗菌及び抗カビ用構造体１０の表面には、抗菌材及び抗カビ材が塗布されている。本実施形態における抗菌材及び抗カビ材は、金属イオン発生材が用いられており、この金属イオン発生材から排水桝内に流入してくる排水へ抗菌や抗カビ効果のある金属イオンが溶出されることにより、排水桝内部の抗菌や抗カビが担われ、つまり、衛生状態が良好に維持される仕組みとなっている。なお、本実施形態における金属イオン発生材は、銀イオン、銅イオン、亜鉛イオン、ニッケルイオンといった金属系イオンを塗布してなるものである。
【００３３】
またさらに、本実施形態においては、板状部１２は、円形に形成されており、当接部１４は、リング状に形成されている。当接部１４がリング状に形成されているのは、浴槽の洗い場面から排水桝１８に流入する排水が、排水トラップ内へと流出されるようにするためであるが、これは、枠状となっていれば良いため、例えば、四角形を呈する枠状のものを利用しても構わない。
【００３４】
そして、本実施形態においては、当接部１４が、リングの外枠側から内枠側に向かうにつれて上方に傾斜する形状となっている。このような形状としているのは、抗菌及び抗カビ用構造体１０を排水桝１８内部に挿置した際に、当接部１４の周囲に排水を溜めることができるためで、この溜まった排水に抗菌や抗カビ効果のある金属イオンを溶出させることにより、より効果的に排水桝１８内部の抗菌及び抗カビを行うことができることになる。当接部１４の周囲に溜まる排水は、多ければより効果的であるため、当接部１４の傾斜度は、ある程度大きな方が良い。
【００３５】
また、柱状部１６は、図中、短手方向の幅が狭くなっているが、これも浴槽の洗い場面から排水桝１８に流入する排水を排水トラップ内へと流出させるためであるが、排水の効率性が阻害されない程度であれば、ある程度の幅をもたせることにより、抗菌及び抗カビ用構造体１０の安定性を図ることもできるし、また、金属イオン発生材が塗布されている面が広くなるため、それだけ排水桝内の抗菌や抗カビ効果の向上が望めることになる。
【００３６】
続いて、本発明に係る抗菌及び抗カビ用構造体の第３の実施形態について、図面を参照しながら説明する。図４は、本発明に係る抗菌及び抗カビ用構造体の第３の実施形態を排水枠内に設置した状態を示した縦断面図で、符号は、図１及び２と同様である。
【００３７】
本実施形態における抗菌及び抗カビ用構造体１０は、図４に示すように、浴槽の洗い場面に凹み状に設けられる排水桝１８の内部に挿置するための底面に当接させる当接部１４と、当接部１４と所定の間隔をもって相対する板状部１２と、さらに、当接部１４と板状部１２の間でこれらを相互に支持固定する柱状部１６と、当接部１４の底面側に取り付けられたゴミ等捕集部材３８を備えている。本実施形態においては、柱状部１６は、当接部１４の表面、板状部１２の裏面をそれぞれ支持固定する構成となっているが、当接部１４と板状部１２が所定の間隔をもって相対するようにそれぞれを支持固定できるように構成されていれば良い。また、板状部１２、当接部１４、柱状部１６及びゴミ等捕集部材３８を一体成型することで抗菌及び抗カビ用構造体１０を作製しても良い。
【００３８】
そして、抗菌及び抗カビ用構造体１０の表面には、抗菌材及び抗カビ材が塗布されている。本実施形態における抗菌材及び抗カビ材は、金属イオン発生材が用いられており、この金属イオン発生材から排水桝１８内に流入してくる排水へ抗菌や抗カビ効果のある金属イオンが溶出されることにより、排水桝内部の抗菌や抗カビが担われ、つまり、衛生状態が良好に維持される仕組みとなっている。なお、本実施形態における金属イオン発生材は、銀イオン、銅イオン、亜鉛イオン、ニッケルイオンといった金属系イオンを塗布してなるものである。
【００３９】
またさらに、本実施形態においては、板状部１２は、円形に形成されており、当接部１４は、リング状に形成されている。当接部１４がリング状に形成されているのは、浴槽の洗い場面から排水桝１８に流入する排水が、排水トラップ内へと流出されるようにするためであるが、これは、枠状となっていれば良いため、例えば、四角形を呈する枠状のものを利用しても構わない。
【００４０】
また、当接部１４をリングの外枠側から内枠側に向かうにつれて上方に傾斜する形状とすれば、抗菌及び抗カビ用構造体１０を排水桝内部に挿置した際に、当接部１４の周囲に排水を溜めることができ、そして、この溜まった排水に抗菌や抗カビ効果のある金属イオンを溶出させることで、より効果的に排水桝１８内部の抗菌及び抗カビを行うことができることに繋がる。
【００４１】
さらに、本実施形態においては、当接部１４の底面側にゴミ等捕集部材３８が取付材３９（ボルト等）により取り付けられているが、このゴミ等捕集部材３８を排水桝１８内部の底部に形成された排水トラップ２６へと続く排水口に嵌合させることで、抗菌及び抗カビ用構造体１０を排水桝内により安定させた状態で挿置させることができるようになっている。
【００４２】
また、柱状部１６は、図中、短手方向の幅が狭くなっているが、これも浴槽の洗い場面から排水桝１８に流入する排水を排水トラップ内へと流出させるためであるが、排水の効率性が阻害されない程度であれば、ある程度の幅をもたせることにより、抗菌及び抗カビ用構造体１０の安定性を図ることもできるし、また、金属イオン発生材が塗布されている面が広くなるため、それだけ排水桝内の抗菌や抗カビ効果の向上が望めることになる。
【００４３】
続いて、本発明に係る抗菌及び抗カビ用構造体の第４の実施形態について、図面を参照しながら説明する。図５は、本発明に係る抗菌及び抗カビ用構造体の第４の実施形態を排水枠内に設置した状態を示した縦断面図で、符号は、４０が連結材、４２が連結ボルト、４４が座金、４６がナットである以外は、図４と同様である。
【００４４】
本実施形態における抗菌及び抗カビ用構造体１０は、図５に示すように、浴槽の洗い場面に凹み状に設けられる排水桝１８の内部に挿置するための底面に当接させる当接部１４と、当接部１４と所定の間隔をもって相対する板状部１２と、さらに、当接部１４と板状部１２の間でこれらを相互に支持固定する柱状部１６と、蓋２０及び板状部１２を相互に連結させる連結材４０を備えている。本実施形態においては、柱状部１６は、当接部１４の表面、板状部１２の裏面をそれぞれ支持固定する構成となっているが、当接部１４と板状部１２が所定の間隔をもって相対するようにそれぞれを支持固定できるように構成されていれば良い。また、板状部１２、当接部１４、柱状部１６及び連結材４０を一体成型することで抗菌及び抗カビ用構造体１０を作製しても良い。
【００４５】
そして、抗菌及び抗カビ用構造体１０の表面には、抗菌材及び抗カビ材が塗布されている。本実施形態における抗菌材及び抗カビ材は、金属イオン発生材が用いられており、この金属イオン発生材から排水桝１８内に流入してくる排水へ抗菌や抗カビ効果のある金属イオンが溶出されることにより、排水桝内部の抗菌や抗カビが担われ、つまり、衛生状態が良好に維持される仕組みとなっている。なお、本実施形態における金属イオン発生材は、銀イオン、銅イオン、亜鉛イオン、ニッケルイオンといった金属系イオンを塗布してなるものである。
【００４６】
またさらに、本実施形態においては、板状部１２は、円形に形成されており、当接部１４は、リング状に形成されている。当接部１４がリング状に形成されているのは、浴槽の洗い場面から排水桝１８に流入する排水が、排水トラップ内へと流出されるようにするためであるが、これは、枠状となっていれば良いため、例えば、四角形を呈する枠状のものを利用しても構わない。
【００４７】
また、当接部１４をリングの外枠側から内枠側に向かうにつれて上方に傾斜する形状とすれば、抗菌及び抗カビ用構造体１０を排水桝内部に挿置した際に、当接部１４の周囲に排水を溜めることができ、そして、この溜まった排水に抗菌や抗カビ効果のある金属イオンを溶出させることで、より効果的に排水桝１８内部の抗菌及び抗カビを行うことができることに繋がる。
【００４８】
さらに、本実施形態においては、板状部１２と、蓋２０とを連結材４０によって、相互に連結させることで、抗菌及び抗カビ用構造体１０を排水桝内に挿置させることができるようになっている。本実施形態では、連結材４０を連結ボルト４２、座金４４及びナット４６としているが、連結させることが目的であるので、これら部材に限定されるものではない。
【００４９】
また、柱状部１６は、図中、短手方向の幅が狭くなっているが、これも浴槽の洗い場面から排水桝１８に流入する排水を排水トラップ内へと流出させるためであるが、排水の効率性が阻害されない程度であれば、ある程度の幅をもたせることにより、抗菌及び抗カビ用構造体１０の安定性を図ることもできるし、また、金属イオン発生材が塗布されている面が広くなるため、それだけ排水桝内の抗菌や抗カビ効果の向上が望めることになる。
【符号の説明】
【００５０】
１０  抗菌及び抗カビ用構造体
１２  板状部
１４  当接部
１６  柱状部
１８  排水桝
２０  蓋
２２  蓋裏面
２４  板状部表面
２６  排水トラップ
２８  排水管接続部
３０  防臭筒
３２  排水管
３４  浴槽排水管接続部
３６  浴槽排水管
３８  ゴミ等捕集部材
３９  取付材
４０  連結材
４２  連結ボルト
４４  座金
４６  ナット
【図１】
2014005603.tif 000003
【図２】
2014005603.tif 000004
【図３】
2014005603.tif 000005
【図４】
2014005603.tif 000006
【図５】
2014005603.tif 000007